(57)【要約】【課題】室内の美観を損ねることがなく、配線の周囲に塵埃が溜まりにくい宅内光ファイバ配線工法および配線装置を提供する。【解決手段】床面２と壁面３とがなす部屋の隅部４に沿って、光ファイバ心線５を送り込むと共に、光ファイバ心線５の周囲を覆うように透明または半透明の樹脂６を送り込んで部屋の隅部４を樹脂６で充填し、樹脂６を固化させることにより、光ファイバ心線５を部屋の隅部４に沿って固定する。【選択図】図６
2011164482.tif 000002
【特許請求の範囲】
【請求項１】
床面と壁面とがなす部屋の隅部に沿って、光ファイバ心線を送り込むと共に、該光ファイバ心線の周囲を覆うように透明または半透明の樹脂を送り込んで前記部屋の隅部を前記樹脂で充填し、前記樹脂を固化させることにより、前記光ファイバ心線を前記部屋の隅部に沿って固定することを特徴とする宅内光ファイバ配線工法。
【請求項２】
前記樹脂は、前記部屋の隅部に、凹状のメニスカスを形成するように充填される請求項１記載の宅内光ファイバ配線工法。
【請求項３】
前記部屋の隅部に充填される前記樹脂の幅を一定とすべく、前記樹脂を供給する樹脂用ノズルの移動速度を計測し、計測した移動速度に応じた流量もしくは流速で前記樹脂を供給するようにした請求項１または２記載の宅内光ファイバ配線工法。
【請求項４】
前記部屋の隅部に充填される前記樹脂の幅を一定とすべく、前記樹脂を供給する樹脂用ノズルを一定速度で移動させ、一定の流量もしくは流速で前記樹脂を供給するようにした請求項１または２記載の宅内光ファイバ配線工法。
【請求項５】
前記光ファイバ心線を、透明あるいは半透明のチューブで覆い、当該チューブで覆った前記光ファイバ心線を覆うように、前記樹脂を充填するようにした請求項１〜４いずれかに記載の宅内光ファイバ配線工法。
【請求項６】
前記樹脂を供給する樹脂用ノズルの後方に、前記樹脂用ノズルと共に移動するように樹脂硬化促進機構を設け、
前記樹脂用ノズルを移動させながら前記樹脂を前記部屋の隅部に充填すると同時に、前記樹脂硬化促進機構で前記部屋の隅部に充填された前記樹脂の硬化を促進させるようにした請求項１〜５いずれかに記載の宅内光ファイバ配線工法。
【請求項７】
２つの前記壁面が所定の角度で交わる角部に、前記光ファイバ心線を許容曲げ半径以上の曲げ半径で曲がるようにガイドするガイド面を有する角部用保護部材を設け、
該角部用保護部材のガイド面に沿って前記光ファイバ心線を送り込むようにした請求項１〜６いずれかに記載の宅内光ファイバ配線工法。
【請求項８】
前記樹脂にガラスファイバフィラーを混合した混合樹脂を用い、該混合樹脂で前記部屋の隅部を充填するようにした請求項１〜７いずれかに記載の宅内光ファイバ配線工法。
【請求項９】
床面と壁面とがなす部屋の隅部に沿って、光ファイバ心線を送り込むと共に、該光ファイバ心線の周囲を覆うように前記床面と前記壁面と同色に調色を施した不透明な樹脂を送り込んで前記部屋の隅部を前記樹脂で充填し、前記樹脂を固化させることにより、前記光ファイバ心線を前記部屋の隅部に沿って固定することを特徴とする宅内光ファイバ配線工法。
【請求項１０】
床面と壁面とがなす部屋の隅部に沿って、光ファイバ心線を送り込むための光ファイバ用ノズルと、該光ファイバ用ノズルから送り込まれた前記光ファイバ心線の周囲を覆うように透明または半透明の樹脂を送り込んで前記部屋の隅部を前記樹脂で充填するための樹脂用ノズルと、前記部屋の隅部に対する前記両ノズルの位置関係を一定に保ちつつ、前記両ノズルを前記部屋の隅部に沿って移動させる移動機構と、を備えたことを特徴とする宅内光ファイバ配線装置。
【請求項１１】
前記移動機構は、
前記両ノズルを固定する本体フレームに回転自在に設けられると共に、前記本体フレームの下方に突出して設けられ、当該突出部を前記床面に当接させて、前記床面と前記本体フレームとの距離を一定に保つ第１のタイヤと、
前記本体フレームに回転自在に設けられると共に、前記本体フレームの側方に突出して設けられ、当該突出部を前記壁面に当接させて、前記壁面と前記本体フレームとの距離を一定に保つ第２のタイヤと、
前記本体フレームに設けられ、前記両タイヤを支点とした前記本体フレームの揺動を抑制すべく、前記床面と前記壁面の両方に当接する揺動抑制部材と、を有する請求項１０記載の宅内光ファイバ配線装置。
【発明の詳細な説明】
【技術分野】
【０００１】
本発明は、光ファイバ通信加入者宅における宅内光ファイバ配線工法および配線装置に係り、特に、室内の美観を保ち、かつ清掃を容易とすることが可能な宅内光ファイバ配線工法および配線装置に関するものである。
【背景技術】
【０００２】
従来、光ファイバ通信加入者宅で宅内光ファイバ配線を行う際には、電柱から配線された光ドロップケーブル(黒色)や、成端箱から配線された光インドアケーブル(白色)に、現地付け型のコネクタを接続し、そのコネクタを、室内に設置された光終端装置（Optical Network Unit；以下、ＯＮＵという)に接続する工法が一般にとられていた。
【０００３】
また、光コンセントを壁面に設置して、光コンセントとＯＮＵとを室内配線用光ケーブル（室内配線コード）で配線する工法もとられている。
【０００４】
また、室内に光ケーブルを配線する場合、室内歩行時に光ケーブルが足に引っ掛かって転倒したり、これにより光ケーブルが断線してしまうことも懸念されるため、この対策として、従来、モールによって配線した光ケーブルを保護する工法が一般にとられている。
【０００５】
なお、この出願の発明に関連する先行技術文献情報としては、特許文献１〜３がある。
【先行技術文献】
【特許文献】
【０００６】
【特許文献１】特開２００２−４８５１６号公報
【特許文献２】特開２００６−５３１９６号公報
【特許文献３】特開２００９−１２８４９４号公報
【発明の概要】
【発明が解決しようとする課題】
【０００７】
しかしながら、光ドロップケーブルや光インドアケーブルなどの光ケーブルを直接ＯＮＵに接続する工法では、ＯＮＵに接続される光ケーブルの外観が黒ないし白色であるため、室内に配線したときに光ケーブルが目立ってしまい、室内の美観を損ねてしまうという問題があった。
【０００８】
また、光コンセントとＯＮＵとを室内配線用光ケーブルで配線する工法では、室内配線用光ケーブルが側圧に強い充分な厚みを持つため、太くて目立つ。そのため、室内に配線したときに室内配線用光ケーブルが目立ってしまい、室内の美観を損ねてしまうという問題があった。
【０００９】
さらに、モールによって光ケーブルを保護する工法では、モールが光ケーブルより断面積が大きいため、モール自身が目立ってしまい、室内の美観を損ねてしまうという問題がある。また、モールは一般的に着色された樹脂であるため、壁面や床面と色違いとなって美観を損ねるおそれもある。
【００１０】
さらにまた、従来の宅内光ファイバ配線工法では、光ケーブルを壁面に沿わせて配線した場合、光ケーブルと壁面との間に塵埃が溜まりやすく、室内清掃が容易でなくなるという問題がある。
【００１１】
特許文献１では、易剥離性の剥離紙（離型紙）つきの光ケーブル（光ファイバセンサ）を用い、離型紙を剥がして接合面を露出させつつ、構造物に沿ってローラで接合面を圧着しながら接着することで、光ケーブルを構造物に沿って配線する工法が提案されている。しかし、この工法では、光ケーブルが捻回した場合に、接合面での接着に支障が出ると共に、配線作業中に、剥がした剥離紙と光ケーブルが絡まってしまい、処理が容易でないという問題がある。
【００１２】
特許文献２では、搬送装置にて光ファイバを基板上に送り出すと共に、送り出した光ファイバに基板の手前で接着剤を塗布し、基板と光ファイバを接着させ固定する方法が提案されている。しかし、この方法は、基板上に光ファイバを配線する方法であり、当然ながら室内の美観を意識したものではなく、さらには、接着点をプロッタで移動する方法であるため、宅内光ファイバ配線工法に適用するには難がある。
【００１３】
特許文献３では、複数の光ファイバ心線と抗張力体とを一列に並べて配置し、粘着材付きの保護シートと、粘着材付きの剥離紙とでサンドイッチ状に挟んでなる光ケーブル（光ファイバコード）が提案されている。しかし、この光ケーブルは、上述の特許文献１と同様に、配線作業中に、剥がした剥離紙と光ケーブルが絡まってしまう可能性があり、さらには、抗張力体や保護シートが壁面や床面と色違いとなって、室内の美観を損ねるおそれがある。
【００１４】
そこで、本発明の目的は、上記課題を解決し、室内の美観を損ねることがなく、配線の周囲に塵埃が溜まりにくい宅内光ファイバ配線工法および配線装置を提供することにある。
【課題を解決するための手段】
【００１５】
本発明は上記目的を達成するために創案されたものであり、床面と壁面とがなす部屋の隅部に沿って、光ファイバ心線を送り込むと共に、該光ファイバ心線の周囲を覆うように透明または半透明の樹脂を送り込んで前記部屋の隅部を前記樹脂で充填し、前記樹脂を固化させることにより、前記光ファイバ心線を前記部屋の隅部に沿って固定する宅内光ファイバ配線工法である。
【００１６】
前記樹脂は、前記部屋の隅部に、凹状のメニスカスを形成するように充填されてもよい。
【００１７】
前記部屋の隅部に充填される前記樹脂の幅を一定とすべく、前記樹脂を供給する樹脂用ノズルの移動速度を計測し、計測した移動速度に応じた流量もしくは流速で前記樹脂を供給するようにしてもよい。
【００１８】
前記部屋の隅部に充填される前記樹脂の幅を一定とすべく、前記樹脂を供給する樹脂用ノズルを一定速度で移動させ、一定の流量もしくは流速で前記樹脂を供給するようにしてもよい。
【００１９】
前記光ファイバ心線を、透明あるいは半透明のチューブで覆い、当該チューブで覆った前記光ファイバ心線を覆うように、前記樹脂を充填するようにしてもよい。
【００２０】
前記樹脂を供給する樹脂用ノズルの後方に、前記樹脂用ノズルと共に移動するように樹脂硬化促進機構を設け、前記樹脂用ノズルを移動させながら前記樹脂を前記部屋の隅部に充填すると同時に、前記樹脂硬化促進機構で前記部屋の隅部に充填された前記樹脂の硬化を促進させるようにしてもよい。
【００２１】
２つの前記壁面が所定の角度で交わる角部に、前記光ファイバ心線を許容曲げ半径以上の曲げ半径で曲がるようにガイドするガイド面を有する角部用保護部材を設け、該角部用保護部材のガイド面に沿って前記光ファイバ心線を送り込むようにしてもよい。
【００２２】
前記樹脂にガラスファイバフィラーを混合した混合樹脂を用い、該混合樹脂で前記部屋の隅部を充填するようにしてもよい。
【００２３】
また、本発明は、床面と壁面とがなす部屋の隅部に沿って、光ファイバ心線を送り込むと共に、該光ファイバ心線の周囲を覆うように前記床面と前記壁面と同色に調色を施した不透明な樹脂を送り込んで前記部屋の隅部を前記樹脂で充填し、前記樹脂を固化させることにより、前記光ファイバ心線を前記部屋の隅部に沿って固定する宅内光ファイバ配線工法である。
【００２４】
さらに、本発明は、床面と壁面とがなす部屋の隅部に沿って、光ファイバ心線を送り込むための光ファイバ用ノズルと、該光ファイバ用ノズルから送り込まれた前記光ファイバ心線の周囲を覆うように透明または半透明の樹脂を送り込んで前記部屋の隅部を前記樹脂で充填するための樹脂用ノズルと、前記部屋の隅部に対する前記両ノズルの位置関係を一定に保ちつつ、前記両ノズルを前記部屋の隅部に沿って移動させる移動機構と、を備えたこと宅内光ファイバ配線装置である。
【００２５】
前記移動機構は、前記両ノズルを固定する本体フレームに回転自在に設けられると共に、前記本体フレームの下方に突出して設けられ、当該突出部を前記床面に当接させて、前記床面と前記本体フレームとの距離を一定に保つ第１のタイヤと、前記本体フレームに回転自在に設けられると共に、前記本体フレームの側方に突出して設けられ、当該突出部を前記壁面に当接させて、前記壁面と前記本体フレームとの距離を一定に保つ第２のタイヤと、前記本体フレームに設けられ、前記両タイヤを支点とした前記本体フレームの揺動を抑制すべく、前記床面と前記壁面の両方に当接する揺動抑制部材と、を有してもよい。
【発明の効果】
【００２６】
本発明によれば、室内の美観を損ねることがなく、配線の周囲に塵埃が溜まりにくい宅内光ファイバ配線工法および配線装置を提供できる。
【図面の簡単な説明】
【００２７】
【図１】本発明の一実施の形態に係る宅内光ファイバ配線装置の進行方向前方から見た斜視図である。
【図２】図１の宅内光ファイバ配線装置の進行方向前方から見た正面図である。
【図３】図１の宅内光ファイバ配線装置の進行方向後方から見た斜視図である。
【図４】図１の宅内光ファイバ配線装置の壁面側から透視した斜視図である。
【図５】本発明で用いる光ファイバ心線の横断面図である。
【図６】本発明において、和室に光ファイバ心線を配線したときの部屋の隅部の断面図である。
【図７】本発明において、部屋の角部における配線処理を説明する図であり、（ａ）は入隅、（ｂ）は出隅の配線処理を説明する図である。
【図８】本発明の一実施の形態に係る宅内光ファイバ配線装置の進行方向後方から見た斜視図である。
【図９】図８の宅内光ファイバ配線装置の進行方向前方から見た斜視図である。
【図１０】（ａ）は、本発明において、洋室に光ケーブルを配線したときの部屋の隅部の断面図であり、（ｂ）は光ケーブルの横断面図である。
【発明を実施するための形態】
【００２８】
以下、本発明の好適な実施の形態を添付図面にしたがって説明する。
【００２９】
なお、本明細書では、「室内の美観」という語句を使用しているが、美観は主観的な概念であるため、本明細書では、
（１）配線が目立たない位置になされていること
（２）背景色に対して目立たないこと
の２つの条件を満足する場合に、室内の美観が良好である（室内の美観を損なわない）とする。例えば、配線が部屋床面を横断しているような場合は、（１）の条件を満たさず、床面の色と異なる色の部材（例えばモールなど）を使用する場合は、（２）の条件を満たさないこととなり、両者とも室内の美観が良好でないといえる。
【００３０】
まず、本実施の形態に係る宅内光ファイバ配線工法に用いる宅内光ファイバ配線装置について説明する。
【００３１】
図１は、本実施の形態に係る宅内光ファイバ配線装置の進行方向前方から見た斜視図であり、図２は、進行方向前方から見た正面図、図３は、進行方向後方から見た斜視図、図４は、壁面側から透視した斜視図である。
【００３２】
図１〜４に示すように、宅内光ファイバ配線装置１は、床面２と壁面３とがなす部屋の隅部４に沿って、光ファイバ心線５を送り込むと共に、光ファイバ心線５の周囲を覆うように透明または半透明の樹脂（接着剤）６を送り込んで部屋の隅部４を樹脂６で充填し、樹脂６を固化させることにより、光ファイバ心線５を部屋の隅部４に沿って固定するものである。
【００３３】
より具体的には、宅内光ファイバ配線装置１は、光ファイバ心線５を送り込むための光ファイバ用ノズル７と、樹脂６を送り込むための樹脂用ノズル８と、部屋の隅部４に対する両ノズル７，８の位置関係を一定に保ちつつ、両ノズル７，８を部屋の隅部４に沿って移動させる移動機構９と、を備えている。
【００３４】
光ファイバ用ノズル７は、中空円筒状の部材からなり、その先端部が板状の本体フレーム１０の表面に固定される。本体フレーム１０は、床面２に対して４５度程度傾斜して配置されており、本体フレーム１０に固定される光ファイバ用ノズル７も、床面２に対して４５度程度傾斜している。光ファイバ用ノズル７には、光ファイバ心線５を供給する光ファイバ供給部１７が接続される。
【００３５】
光ファイバ供給部１７は、例えば、光ファイバ心線５を巻回したボビン（図示せず）と、ボビンからの光ファイバ心線５を光ファイバ用ノズル７に導く光ファイバ供給パイプ１７ａとからなり、図１における破線矢印Ａの方向に光ファイバ心線５を供給するようにされる。
【００３６】
なお、光ファイバ供給部１７は、光ファイバ用ノズル７から引き出される引出し量に応じて光ファイバ心線５を供給できるものであれば、どのような構成であってもよく、例えば、ボビンから光ファイバ心線５を自動的に送出する送出機構を備えてもよい。ただし、本実施の形態では、光ファイバ心線５の周囲に樹脂６を充填するため、樹脂６の粘度と、固化した樹脂６により固定された光ファイバ心線５によって、光ファイバ心線５が自然と送り出されることになるため、送出機構は必須ではない。
【００３７】
樹脂用ノズル８は、中空円筒状の部材からなり、その先端部が本体フレーム１０の表面に固定される。樹脂用ノズル８は、光ファイバ用ノズル７の後方（進行方向後方、図１では左奥側）の本体フレーム１０に、光ファイバ用ノズル７と平行に設けられる。樹脂用ノズル８には、樹脂６を供給する樹脂供給部１８が接続される。
【００３８】
樹脂供給部１８は、樹脂６を貯留する樹脂タンク（図示せず）と、樹脂タンクからの樹脂６を樹脂用ノズル８に導く樹脂供給パイプ１８ａとを有し、図１における破線矢印Ｂの方向に樹脂６を供給するようにされる。
【００３９】
また、樹脂供給部１８は、部屋の隅部４に充填される樹脂６の幅（樹脂塗布幅）を一定とするように、樹脂６の流量もしくは流速を制御する樹脂供給量調整部（図示せず）を有している。
【００４０】
本実施の形態では、樹脂供給量調整部を、樹脂用ノズル８の移動速度を計測し、計測した移動速度に応じた流量または流速で樹脂６を供給するように構成した。具体的には、樹脂供給量調整部は、樹脂用ノズル８の移動速度を計測する速度計測器と、樹脂供給パイプ１８ａに設けられた電磁弁と、速度計測器で計測した樹脂用ノズル８の移動速度に応じて電磁弁の開度を調整して、樹脂用ノズル８に供給する樹脂６の流量あるいは流速を調整する制御部とを有する。制御部は、例えば、樹脂用ノズル８の移動速度と樹脂６の流量の関係を一定に保つ比例制御を行い、樹脂塗布幅を一定に保つ。
【００４１】
なお、樹脂供給量調整部では、樹脂供給パイプ１８ａに樹脂６の流量を計測する流量計を設けて、この流量計の計測値を基に、制御部にて電磁弁の開度をフィードバック制御するようにしてもよいし、部屋の隅部４に充填した樹脂６の幅を検出するセンサを設けて、そのセンサの計測値を基に、制御部にて電磁弁の開度をフィードバック制御するようにしてもよい。
【００４２】
樹脂用ノズル８の後方には、樹脂用ノズル８と共に移動するように樹脂硬化促進機構１９が設けられる。樹脂用ノズル８の後方（進行方向後方、図１では左奥側）の本体フレーム１０には、樹脂硬化促進機構１９の樹脂硬化促進用ノズル１９ａが、樹脂用ノズル８と平行に設けられる。樹脂硬化促進機構１９は、部屋の隅部４に充填された樹脂６の硬化を促進するためのものであり、樹脂６の硬化メカニズムに応じた機構が用いられる。樹脂６の硬化メカニズムと、これに対応した樹脂硬化促進機構１９の具体例については後述する。
【００４３】
移動機構９は、本体フレーム１０に回転自在に設けられる第１のタイヤ１１、第２のタイヤ１２の２つのタイヤ１１，１２と、これら２つのタイヤ１１，１２を支点とした本体フレーム１０の揺動を抑制する揺動抑制部材としての直角部材１３とからなる。
【００４４】
第１のタイヤ１１は、本体フレーム１０の裏面から下方に突出する突起部１４の先端部に、回転自在に固定される。第１のタイヤ１１は、その一部が本体フレーム１０の下方に突出するようにされており、その突出部を床面２に当接させることで、床面２と本体フレーム１０との距離を一定に保つようにしている。
【００４５】
第２のタイヤ１２は、本体フレーム１０の表面から側方（図３では左奥側）に突出する突起部１５の先端部に、回転自在に固定される。第２のタイヤ１２は、その一部が本体フレーム１０の側方に突出するようにされており、その突出部を壁面３に当接させることで、壁面３と本体フレーム１０との距離を一定に保つようにしている。
【００４６】
直角部材１３は、略直方体状に形成され、本体フレーム１０の進行方向前方（図１では右手前側）の端部に一体に形成される。直角部材１３は、その下面が床面２に当接し、その一の側面（図１では右奥側の側面）が壁面３に当接するようにされ、これにより、両タイヤ１１，１２を支点とした本体フレーム１０の揺動を抑制するようにされている。
【００４７】
部屋の隅部４と光ファイバ用ノズル７の先端との距離は、移動機構９により保持されることになるが、部屋の隅部４と光ファイバ用ノズル７の先端との距離は、配線時に光ファイバ用ノズル７から光ファイバ心線５を送り出した際に、部屋の隅部４に当たって進行方向後方に曲げられた光ファイバ心線５の曲げ半径が、光ファイバ心線５の許容曲げ半径以上の曲げ半径となるようにすればよい。
【００４８】
また、本体フレーム１０には、配線作業者が宅内光ファイバ配線装置１を移動させる際に用いる棒状のハンドル１６が設けられる。なお、図３，４では、図の簡略化のため、ハンドル１６を省略している。ハンドル１６には、樹脂６の供給を開始／停止するための電源スイッチ（樹脂供給部１８、樹脂硬化促進機構１９への電力の供給をＯＮ／ＯＦＦするスイッチ；図示せず）が設けられる。
【００４９】
本実施の形態に係る宅内光ファイバ配線装置１に用いる光ファイバ心線５は、図５に示すように、コアとコアの外周に形成されたクラッドとからなる光ファイバ裸線（光ファイバガラス）５１と、光ファイバ裸線５１の周囲を覆うコーティング被覆（光ファイバ被覆）５２とからなる。光ファイバ心線５としては、そのコーティング被覆５２が着色されておらず略透明であるものを用いるとよい。光ファイバ裸線５１は石英ガラスからなり透明であるから、光ファイバ心線５は略透明である。
【００５０】
本実施の形態に係る宅内光ファイバ配線装置１に用いる樹脂６としては、例えば、光硬化性樹脂、熱硬化性樹脂、エポキシ樹脂、シリコーン樹脂、シアノアクリレート樹脂、ホットメルト、熱可塑性樹脂などからなる透明あるいは半透明な速乾性樹脂を用いるとよい。これらの樹脂の硬化メカニズムと、硬化メカニズムに応じた硬化促進手段を表１に示す。
【００５１】
【表１】
2011164482.tif 000003
【００５２】
表１に示すように、樹脂６として光硬化性樹脂を用いる場合、樹脂６に光を照射すれば樹脂６の硬化が促進される。よって、樹脂硬化促進機構１９としては、光照射部を備えて、光照射部で照射した光を樹脂硬化促進用ノズル１９ａに導くように構成すればよい。この場合、樹脂硬化促進用ノズル１９ａはライトガイドとして用いられることになる。
【００５３】
また、樹脂６として、熱によって重合が促進される熱硬化性樹脂やエポキシ樹脂、あるいは、溶剤が揮発することにより硬化するシリコーン樹脂を用いた場合、樹脂６に熱を加えれば樹脂６の硬化が促進される。よって、樹脂硬化促進機構１９としては、加熱ヒータまたは加熱ドライヤなどの加熱手段を備えて、加熱手段からの熱風を樹脂硬化促進用ノズル１９ａに導くように構成すればよい。
【００５４】
さらに、樹脂６として、水分により重合が促進されるシアノアクリレート樹脂を用いた場合、樹脂硬化促進機構１９としては、加湿器を備えて、加湿器からの湿風（加湿空気）を樹脂硬化促進用ノズル１９ａに導くように構成すればよい。
【００５５】
さらにまた、樹脂６として、冷却により硬化するホットメルトや熱可塑性樹脂を用いる場合、樹脂硬化促進機構１９としては、ファンなどから冷風を樹脂硬化促進用ノズル１９ａに導くように構成すればよい。
【００５６】
このように、樹脂６の硬化メカニズムに応じた樹脂硬化促進機構１９を設けることにより、樹脂用ノズル８を移動させながら樹脂６を部屋の隅部４に充填する際に、これと同時に、樹脂硬化促進機構１９で部屋の隅部４に充填された樹脂６の硬化を促進させることが可能になる。なお、樹脂硬化促進機構１９や樹脂供給部１８（樹脂供給量調整部）には、電源コードを介して外部から電源を供給するようにしてもよいし、バッテリを搭載し、そのバッテリから電源を供給するようにしてもよい。
【００５７】
また、樹脂６としては、充填時に床面２あるいは壁面３となす接触角が４５度以内（０度より大きく４５度以下）となる特性を有するもの、すなわち、部屋の隅部４に充填したときに、凹状のメニスカス（負のメニスカス）を形成するものを用いる。換言すれば、樹脂６としては、部屋の隅部４に充填したときに、床面２や壁面３の表面との相互作用により、充填した樹脂６の液面が凹状の屈曲面となる特性を有するものを用いる。
【００５８】
次に、本実施の形態に係る宅内光ファイバ配線工法について説明する。
【００５９】
まず、配線作業者は、宅内光ファイバ配線装置１を部屋の隅部４にセットする。具体的には、第１のタイヤ１１を床面２に当接させると共に、第２のタイヤ１２を壁面３に当接させ、かつ、直角部材１３を床面２と壁面３の両者に当接させる。
【００６０】
宅内光ファイバ配線装置１をセットした後、配線作業者は、ハンドル１６に設けられた電源スイッチをオンにし、ハンドル１６を持って宅内光ファイバ配線装置１を部屋の隅部４に沿って移動させる。
【００６１】
すると、光ファイバ用ノズル７から部屋の隅部４に押し付けるように光ファイバ心線５が順次送り込まれ、光ファイバ心線５が部屋の隅部４に配置される。
【００６２】
また、これと同時に、光ファイバ用ノズル７の後方の樹脂用ノズル８から樹脂６が順次送り込まれ、樹脂６が光ファイバ心線５の周囲を覆うように部屋の隅部４に充填される。このとき、樹脂６は、樹脂供給部１８の樹脂供給量調整部により、充填後の樹脂６の幅が一定となるように、その流量あるいは流速が調整される。
【００６３】
さらに、樹脂用ノズル８の後方の樹脂硬化促進機構１９（樹脂硬化促進用ノズル１９ａ）では、樹脂６の硬化が促進される。
【００６４】
本実施の形態に係る宅内光ファイバ配線工法により光ファイバ心線５の配線を行った後の部屋の隅部４の断面図を図６に示す。
【００６５】
図６では、一例として、本発明の宅内光ファイバ配線工法を和室に適用した場合を示している。この和室では、畳６１と壁６２の下部が接する部分には、畳寄せ６３が設けられており、壁６２の壁下地６４の下部には、胴縁６５が設けられ、胴縁６５の上側の壁下地６４の表面には、壁紙（もしくは壁板）６６が設けられている。図６のような和室に本発明の宅内光ファイバ配線工法を適用する場合、畳寄せ６３の表面が床面２に、胴縁６５の表面が壁面３に相当することとなり、これら畳寄せ６３と胴縁６５とがなす部屋の隅部４に光ファイバ心線５が配線されることになる。
【００６６】
図６に示すように、部屋の隅部４には、光ファイバ心線５を覆うように樹脂６が充填される。樹脂６は、凹状のメニスカスを形成し、畳寄せ６３の表面及び胴縁６５の表面となす接触角は４５度以内となる。充填した樹脂６が固化されると、光ファイバ心線５が部屋の隅部４に沿って固定される。
【００６７】
ここで、部屋の角部における配線処理について説明する。なお、部屋の角部とは、部屋の隅部４のうち、２つの壁面３が所定の角度で交わる部分のことをいう。つまり、部屋の角部とは、床面２と２つの壁面３とが交わる部分のことである。壁面３が交わる部分が外側（室外側）に凸である部屋の角部を入隅、壁面３が交わる部分が内側（室内側）に凸である部屋の角部を出隅という。
【００６８】
図７（ａ）に示すように、入隅７１には、光ファイバ心線５を許容曲げ半径以上の曲げ半径で曲がるようにガイドするガイド面７３を有する第１の角部用保護部材７２が設けられる。第１の角部用保護部材７２のガイド面７３は、所定の曲率半径（光ファイバ心線５の許容曲げ半径以上の曲率半径）で形成された凹状の曲面からなり、第１の角部用保護部材７２を入隅７１に配置した際に、ガイド面７３と壁面３とがなめらかに連続した面を構成するようにされる。なお、ガイド面７３は、宅内光ファイバ配線装置１が入隅７１を通過する際に、直角部材１３と第２のタイヤ１２をガイドする面となる。
【００６９】
入隅７１に第１の角部用保護部材７２を設けることにより、宅内光ファイバ配線装置１は、その直角部材１３と第２のタイヤ１２とがガイド面７３でガイドされて、入隅７１をスムーズに通過する。このとき、第１の角部用保護部材７２のガイド面７３と床面２とがなす隅部に沿って光ファイバ心線５が送り込まれ、光ファイバ心線５を覆うように、ガイド面７３と床面２との間に樹脂６が充填されることになる。
【００７０】
図７（ｂ）に示すように、出隅７５には、光ファイバ心線５を許容曲げ半径以上の曲げ半径で曲がるようにガイドするガイド面７７を有する第２の角部用保護部材７６が設けられる。第２の角部用保護部材７６のガイド面７７は、室内側に突出した出隅７５を覆うように所定の曲率半径（光ファイバ心線５の許容曲げ半径以上の曲率半径）で形成された凸状の第１曲面７７ａと、第１曲面７７ａの両端部にて第１曲面７７ａと壁面３とをなめらかに接続する凹状の第２曲面７７ｂとが連続して構成される。
【００７１】
出隅７５に第２の角部用保護部材７６を設けることにより、第１の角部用保護部材７２の場合と同様に、宅内光ファイバ配線装置１は、その直角部材１３と第２のタイヤ１２がガイド面７７上をガイドされて、スムーズに出隅７５を通過する。このとき、第２の角部用保護部材７６のガイド面７７と床面２とがなす隅部に沿って光ファイバ心線５が送り込まれ、光ファイバ心線５を覆うように、ガイド面７７と床面２との間に樹脂６が充填されることになる。
【００７２】
以上説明したように、本実施の形態に係る宅内光ファイバ配線工法では、部屋の隅部４に沿って光ファイバ心線５を送り込むと共に、光ファイバ心線５の周囲を覆うように透明または半透明の樹脂６を送り込んで部屋の隅部４を樹脂６で充填し、樹脂６を固化させることにより、光ファイバ心線５を部屋の隅部４に沿って固定するようにしている。
【００７３】
本実施の形態では、光ファイバ心線５を部屋の隅部４に沿って固定するので、配線が目立たない位置になされる。
【００７４】
また、光ファイバ心線５は略透明であり、また、樹脂６も透明または半透明であるから、配線部分全体が略透明となり、配線部分を背景色に対して目立たないようにすること、すなわち外観上視認しにくくすることができる。
【００７５】
つまり、本実施の形態に係る宅内光ファイバ配線工法では、光ファイバ心線５の光ファイバ裸線５１とコーティング被覆５２が略透明であることを積極的に利用し、この光ファイバ心線５を透明ないし半透明の樹脂６で覆って、部屋の隅部４に固定することで、配線部分の外観を略透明として視認性を低下させ、配線を目立たなくしている。これにより、上述の（１），（２）の条件を共に満たすことが可能となり、部屋内の配線（ＯＮＵに至る配線）、あるいは部屋間の配線経路にて、室内の美観を損なうことなく配線を行うことが可能となる。
【００７６】
なお、高気密、高断熱住宅では、壁と床の間の気密を保持するために、壁と床の間の隙間を塞ぐように樹脂を塗布する場合があるが、本発明においても、結果的に壁と床の間の隙間が塞がれることになるので、同様の効果が期待出来る。
【００７７】
また、本実施の形態では、樹脂６を凹状のメニスカスを形成するように充填するため、配線前に略直角をなしていた部屋の隅部４を丸めるようなかたちで樹脂６が充填されることになり、その結果、配線前よりも部屋の隅部４に塵埃が溜まりにくくなり、光ファイバ心線５の周囲に塵埃が溜まりにくくなる。さらには、掃除機で部屋の隅部４の塵埃を容易に吸引できるようになることから、清掃を容易とし、利用者の利便性を向上できる。さらにまた、樹脂６を凹状のメニスカスに形成することにより、清掃を行う際に掃除機等で損傷を受けにくくなり、清掃等による光ファイバ心線５の損傷も抑制できる。
【００７８】
ところで、上述の（１），（２）の条件を満たした場合でも、例えば、光ファイバ心線５の周囲に充填される樹脂６の幅が一定でない場合などは、配線部分の外観が悪くなり、室内の美観を損ねるおそれがある。そこで、本実施の形態では、樹脂６を供給する樹脂用ノズル８の移動速度を計測し、計測した移動速度に応じた流量もしくは流速で樹脂６を供給するようにすることで、部屋の隅部４に充填される樹脂６の幅を一定としている。これにより、室内の美観をより良好にすることができる。
【００７９】
さらに、本実施の形態では、樹脂用ノズル８の後方に樹脂硬化促進機構１９を設け、樹脂用ノズル８を移動させて部屋の隅部４に樹脂６を充填すると同時に、樹脂硬化促進機構１９で部屋の隅部４に充填された樹脂６の硬化を促進させるようにしている。これにより、樹脂６を短時間で硬化させて、施工時間を短縮することが可能となる。特に、床面２に対して壁面３が垂直である場合には、樹脂６が垂れてしまわないうちに樹脂６を硬化できるため、樹脂６を凹状のメニスカスに維持する観点からも非常に有効である。
【００８０】
さらにまた、本実施の形態では、部屋の角部（入隅７１、出隅７５）に角部用保護部材７２，７６を設け、光ファイバ心線５を許容曲げ半径以上の曲げ半径で曲がるようにガイドしているため、光ファイバ心線５が角部で折れるなどして破損することがなくなる。また、角部用保護部材７２，７６を設けることで、宅内光ファイバ配線装置１が部屋の角部（入隅７１、出隅７５）を通過する際に、宅内光ファイバ配線装置１を移動させ易くなり、配線作業がし易くなる。
【００８１】
次に、本発明の他の実施の形態を説明する。
【００８２】
図８，９に示す宅内光ファイバ配線装置８１は、図１〜４で説明した宅内光ファイバ配線装置１におけるノズル７，８を、共通の樹脂付光ファイバ用ノズル８２とし、樹脂付光ファイバ用ノズル８２から、予め樹脂６を塗布した光ファイバ心線５を部屋の隅部４に送り出すようにしたものである。
【００８３】
樹脂付光ファイバ用ノズル８２には、樹脂付光ファイバ供給パイプ８３が接続され、樹脂付光ファイバ供給パイプ８３には、図示していないが、樹脂６を満たしたダイスが設けられており、光ファイバ心線５をダイスに通すことにより、光ファイバ心線５の周囲に予め樹脂６を塗布するようにされている。なお、図８，９では、図の簡略化のため、ハンドル１６を省略している。
【００８４】
宅内光ファイバ配線装置８１によれば、光ファイバ心線５の周囲に樹脂６をまんべんなく塗布することが可能となり、また、ノズル数を少なくして装置をより簡便にすることが可能となる。
【００８５】
なお、宅内光ファイバ配線装置８１では、光ファイバ心線５を送り出す際に、これに伴って樹脂６も必ず送り出されることになり、光ファイバ心線５のみを送り出すことができない。よって、配線中に融着接続やメカニカルスプライス接続を入れる必要がある場合などは、樹脂６の供給を停止でき、樹脂６を除去する手間を要さない図１〜４の宅内光ファイバ配線装置１を用いることが望ましい。
【００８６】
上記実施の形態では、樹脂用ノズル８の移動速度を計測し、計測した移動速度に応じた流量もしくは流速で樹脂６を供給するようにすることで、部屋の隅部４に充填される樹脂６の幅を一定としたが、これに限らず、移動機構９のタイヤ１１，１２を一定速度（一定回転数）で回転させることで、ノズル７，８を一定速度で移動させ、樹脂６を一定の流量もしくは流速で部屋の隅部４に送り込むことで、部屋の隅部４に充填される樹脂６の幅を一定に保つようにしてもよい。この場合、タイヤ１１，１２を定速回転して宅内光ファイバ配線装置１を自走させることになるので、ハンドル１６に走行開始／停止のスイッチを設けることが望ましい。
【００８７】
また、上記実施の形態では、光ファイバ心線５を部屋の隅部４に配線する場合を説明したが、図１０（ａ），（ｂ）に示すように、光ファイバ心線５を透明あるいは半透明のチューブ（ルースチューブ）１０２で覆って、所謂ルースチューブ構造の光ケーブル１０１を形成し、この光ケーブル１０１を覆うように、部屋の隅部４に樹脂６を充填するようにしてもよい。なお、図１０（ａ）では、洋室に光ケーブル１０１を配線した場合を示しているが、洋室では、フローリング１０３の表面が床面２に相当することとなり、フローリング１０３と胴縁６５とがなす部屋の隅部４に光ファイバ心線５が配線されることになる。
【００８８】
光ファイバ心線５をチューブ１０２で覆ったルースチューブ構造の光ケーブル１０１を形成することで、樹脂６の吸湿や熱による膨張、収縮などの外力が、チューブ１０２で吸収されて光ファイバ心線５（光ファイバ裸線５１）に伝わりにくくなり、信頼性を向上させることが可能となる。ただし、光ファイバ心線５をチューブ１０２で覆う場合、全体の外形が太くなり曲げにくくなるので、チューブ１０２の厚さは、樹脂６の膨張、収縮を吸収でき、かつ、配線に影響を及ぼさない程度の小さい曲げ半径が確保できるように、適宜な厚さに調整する必要がある。
【００８９】
さらに、樹脂６の膨張、収縮を抑制するために、樹脂６にガラスファイバフィラーを混合した混合樹脂を用い、混合樹脂で部屋の隅部４を充填するようにしてもよい。これにより、樹脂６の膨張、収縮を抑えて、光ファイバ心線５へ作用する外力を低減し、信頼性を向上させることが可能となる。
【００９０】
また、上記実施の形態では、タイヤ１１，１２と直角部材１３とで、部屋の隅部４に対する両ノズル７，８の位置関係を維持するようにしたが、直角部材１３に替えて、床面２及び壁面３に対して４５度傾けたタイヤを設けても、同様の効果を得ることが可能である。
【００９１】
さらに、上記実施の形態では、透明または半透明の樹脂６を用いる場合を説明したが、背景に合わせて調色した樹脂（つまり、床面２と壁面３と同色に調色を施した不透明な樹脂）を使用しても、同様の効果が得られる。
【００９２】
このように、本発明は、上述した実施の形態に限定されるものではなく、本発明の趣旨を逸脱しない範囲で種々の変更が可能である。
【符号の説明】
【００９３】
１  宅内光ファイバ配線装置
２  床面
３  壁面
４  部屋の隅部
５  光ファイバ心線
６  樹脂
【図１】
2011164482.tif 000004
【図２】
2011164482.tif 000005
【図３】
2011164482.tif 000006
【図４】
2011164482.tif 000007
【図５】
2011164482.tif 000008
【図６】
2011164482.tif 000009
【図７】
2011164482.tif 000010
【図８】
2011164482.tif 000011
【図９】
2011164482.tif 000012
【図１０】
2011164482.tif 000013